(57)【要約】【課題】無線プロジェクタを提供すること。【解決手段】無線プロジェクタはマイクロプロセッサ、無線モジュール、投影モジュール、及びいくつかの信号受信装置を含む。無線モジュールは、マイクロプロセッサに電気的に接続される少なくとも１つの映像信号線を含む。投影モジュールもまた、映像を投影するためにマイクロプロセッサに電気的に接続される。マイクロプロセッサは、外部信号が無線モジュールに接続されているかどうかを判定し、他の信号受信装置を走査するかどうかを判定する。ゆえに、マイクロプロセッサは様々なソースの信号を検出し、区別することができる。【選択図】  図２
2007104661.tif 000002
【特許請求の範囲】
【請求項１】
マイクロプロセッサと、
前記マイクロプロセッサに電気的に接続するために少なくとも１つの映像信号線を備える無線モジュールと、
前記マイクロプロセッサに電気的に接続され、映像を投影するために使用される投影モジュールと、
前記マイクロプロセッサに電気的に接続された複数の信号受信装置と
を備える無線プロジェクタであって、
前記マイクロプロセッサが、前記無線モジュールに外部信号が接続されているかどうかを判定し、次いで前記信号受信装置を走査するかどうかを判定する無線プロジェクタ。
【請求項２】
２つの端部がそれぞれ前記無線モジュールと前記マイクロプロセッサとに接続された少なくとも１つの伝送線をさらに備え、前記マイクロプロセッサが、前記伝送線を通じて前記無線モジュールに前記外部信号が接続されているかどうかを判定する請求項１に記載の無線プロジェクタ。
【請求項３】
前記伝送線がＲＳ−２３２通信プロトコルに従う請求項２に記載の無線プロジェクタ。
【請求項４】
前記伝送線がＩ２Ｃ通信プロトコルに従う請求項２に記載の無線プロジェクタ。
【請求項５】
前記伝送線がＧＰＩＯ通信プロトコルに従う請求項２に記載の無線プロジェクタ。
【請求項６】
前記信号受信装置のうちの１つが、ＡＶ信号受信装置、Ｓビデオ信号受信装置、ＲＧＢ信号受信装置又はＤＶＩ信号受信装置のうちの１つから選択される請求項１に記載の無線プロジェクタ。
【請求項７】
無線プロジェクタによって複数の信号受信装置を走査するための、無線プロジェクタのための方法であり、前記無線プロジェクタがマイクロプロセッサと、無線モジュールと、投影モジュールと、前記信号受信装置とを含み、前記投影モジュールが前記マイクロプロセッサに電気的に接続され、前記信号受信装置が前記マイクロプロセッサに電気的に接続されるか、又は前記マイクロプロセッサと無線で通信する方法であって、
前記マイクロプロセッサによって前記信号受信装置の型の情報を収集するステップと、
前記信号受信装置のうちの１つを走査するステップと、
前記信号受信装置が前記無線モジュールであるかどうかを判定するステップと、
前記信号受信装置が前記無線モジュールであると判定された場合、伝送線を通じて前記マイクロプロセッサによって前記無線モジュールに照会するステップと、
前記無線モジュールに外部信号が接続されているかどうかを判定するステップと、
前記無線モジュールにいかなる外部信号も接続されていないと判定された場合、前記信号受信装置のうちの別の１つを走査するステップと
を含む方法。
【請求項８】
前記信号受信装置が前記無線モジュールではないと判定された場合、前記受信装置が信号を有するかどうかを調べるステップをさらに含む請求項７に記載の方法。
【請求項９】
前記信号受信装置が前記信号を有すると判定された場合、前記信号受信装置が前記無線プロジェクタの信号ソースとして設定される請求項８に記載の方法。
【請求項１０】
前記外部信号が前記無線モジュールに接続されていると判定された場合、前記無線モジュールを前記無線プロジェクタの前記信号受信装置として設定するステップをさらに含む請求項７に記載の方法。
【請求項１１】
前記無線モジュールを前記無線プロジェクタの前記信号受信装置として設定した後、前記無線モジュールによって接続設定情報を前記投影モジュールに送信するステップをさらに含む請求項１０に記載の方法。
【請求項１２】
前記接続設定情報が、前記無線モジュールのサービスセット識別子（ＳＳＩＤ）を含む請求項１１に記載の方法。
【請求項１３】
前記接続設定情報が、前記無線モジュールのチャンネルを含む請求項１１に記載の方法。
【発明の詳細な説明】
【関連出願の相互参照】
【０００１】
本出願は２００５年１０月６日に提出され、その主題が参照により本明細書に組み込まれる、台湾特許出願第９４１３４９９６号の利益を主張する。
【発明の分野】
【０００２】
[0001]本発明は一般にプロジェクタに関し、より詳細には無線プロジェクタに関する。
【関連技術の説明】
【０００３】
[0002]今日の無線プロジェクタは、信号を送信又は受信するために内蔵型又は付属の無線モジュールを使用する。図１Ａを参照すると、従来の無線モジュール及び従来の投影モジュールの構成図が示されている。無線プロジェクタ１００は無線モジュール１０１、マイクロプロセッサ１０２、投影モジュール１０５及びいくつかの信号受信装置１０７を含む。無線モジュール１０１は映像を受信する。映像は、マイクロプロセッサ１０２を通じて投影されるように、投影モジュール１０５に送信される。信号受信装置の例はＲＧＢ信号受信装置、ＤＶＩ信号受信装置、ＡＶ信号受信装置又はＳビデオ信号受信装置を含む。ＲＧＢ信号受信装置は、アナログ映像信号を受信するために使用される。ＤＶＩ信号受信装置は、デジタル映像信号を受信するために使用される。ＡＶ信号受信装置及びＳビデオ信号受信装置は、ＴＶ又はＤＶＤのＡＶ信号を受信するために使用される。信号受信装置１０７は、マイクロプロセッサ１０２を通じて信号を投影モジュール１０５に送信することができる。無線プロジェクタの種類は、米国特許公開第２００４／００１０８０５号に開示されている。
【０００４】
[0003]図１Ｂを参照すると、従来の無線プロジェクタによって走査される信号受信装置の配列を表す構成図が示されている。マイクロプロセッサ１０２はＲＧＢ信号受信装置１０７ａ、ＤＶＩ信号受信装置１０７ｂ、ＡＶ信号受信装置１０７ｃ及びＳビデオ信号受信装置１０７ｄの配列中の信号受信装置を走査する。プロジェクタ１００に関しては、無線モジュール１０１自体が信号受信装置である。ユーザが無線プロジェクタ１００を起動すると、無線モジュール１０１もまた起動され、マイクロプロセッサ１０２に信号を直接送信する。マイクロプロセッサ１０２は、信号受信装置の接続箇所が使用中であり、他の信号受信装置を走査しないということを判断する。しかしながら、ユーザはフレームを送信するために無線モジュール１０１を使用する必要はなく、むしろユーザはプロジェクタ１００によって投影されたＤＶＤ又はＴＶのフレームを見たいと思っている。このような状況下では、マイクロプロセッサ１０２は信号受信装置が使用中であることをすでに判断しているので、ＡＶ信号受信装置又はＳビデオ信号受信装置を走査することはない。ユーザは信号受信装置及び無線モジュール１０１をＡＶ信号受信装置又はＳビデオ信号受信装置に切り替えるために、ＡＶ信号受信装置又はＳビデオ信号受信装置のプレスキーを押さなければならない。このことは、使用の点でユーザにとって非常に面倒である。
【０００５】
[0004]ユーザがＤＶＤを見終えて、ＡＶ信号受信装置又はＳビデオ信号受信装置の電源を切る場合、マイクロプロセッサ１０２は再び信号受信装置を捜す。無線プロジェクタでは、無線ネットワークから信号を受信するための信号受信装置は常に電源が入っているため、マイクロプロセッサ１０２は直ちに無線モジュール１０１を受信し、いかなる外部信号線も無線モジュールに接続されていなくても新たな信号受信装置となる。他の信号受信装置は、ユーザが所望の信号受信装置の該当するプレスキーを押さない限り、決して走査されることはない。これはユーザにとっては非常に不便である。
【発明の概要】
【０００６】
[0005]したがって、本発明の目的は無線プロジェクタ及び無線プロジェクタの信号受信装置の走査方法を提供することである。ユーザは、適切な信号受信装置に切り替えるために、プレスキーを押す必要はない。ゆえに、無線プロジェクタは現在の信号の信号ソースを正確に検出することができる。
【０００７】
[0006]本発明は、無線プロジェクタを提供することによって、上で確認された目的を達成する。無線プロジェクタはマイクロプロセッサ、無線モジュール、投影モジュール、及びいくつかの信号受信装置を含む。無線モジュールはマイクロプロセッサに電気的に接続されている。投影モジュールもまた、映像を投影するためにマイクロプロセッサに電気的に接続されている。マイクロプロセッサは、外部信号が無線モジュールに接続されているかどうかを判定し、次いで他の信号受信装置を走査するかどうかを判定する。
【０００８】
[0007]本発明はさらに、いくつかの信号受信装置を走査するための無線プロジェクタの方法を提供することによって、上で確認された目的を達成する。無線プロジェクタはマイクロプロセッサ、無線モジュール、投影モジュール、信号受信装置、及び少なくとも１つの伝送線を含む。無線モジュール及び投影モジュールは、マイクロプロセッサに電気的に接続されている。信号受信装置はマイクロプロセッサに電気的に接続されているか、又はマイクロプロセッサに無線で通信される。本方法は以下のステップを含む。第１に、マイクロプロセッサは信号受信装置の型の情報を収集する。次いで、信号受信装置のうちの１つが走査される。次に、信号受信装置のうちの１つが無線モジュールであるかどうかが判定される。信号受信装置が無線モジュールであると判定された場合、マイクロプロセッサは伝送線を通じて無線モジュールに照会する。その後、外部信号が無線モジュールに接続されているかどうかが判定される。最後に、いかなる外部信号も無線モジュールに接続されていないと判定された場合、信号受信装置のうちの別の１つの走査を続ける。
【０００９】
[0008]本発明のその他の目的、特徴及び利点は、以下で述べる好ましいが、限定的ではない実施形態の詳細な説明より明らかとなろう。以下で述べる説明は、添付の図面を参照する。
【発明の詳細な説明】
【００１０】
[0015]無線プロジェクタが初期化されるか、又はいずれかの信号受信装置（現在使用されているような信号受信装置）の電源が切られた後、信号受信装置のソースが走査される。信号受信装置はプロジェクタと外部ソースとの間のインタフェースである。無線モジュール、すなわち別の信号受信装置は常にマイクロプロセッサへ信号を送信しているので、マイクロプロセッサは無線モジュールが信号受信装置であると判断する。外部信号又はユーザが無線モジュールに接続されているかどうかをマイクロプロセッサが判定できるようにする機能によって、本発明のマイクロプロセッサは信号受信装置のソースを走査し続けることができる。無線モジュールが外部信号又はユーザに接続されているかどうかを判定する機能をマイクロプロセッサに装備させるための２つの方法が、以下に開示される。
【００１１】
第１の実施形態
[0016]図２を参照すると、無線プロジェクタの構成図が示されている。無線プロジェクタ２００はマイクロプロセッサ２０２、無線モジュール２０１、投影モジュール２０５、いくつかの信号受信装置、伝送線２０９、及び映像信号線２１０を含む。無線モジュール２０１はマイクロプロセッサ２０２に電気的に接続されている。投影モジュール２０５もまた、マイクロプロセッサ２０２に電気的に接続されている。ユーザは映像信号線２１０を通じて、コンピュータ映像をマイクロプロセッサ２０２に送信することができる。次いで、無線モジュール２０１によって受信されるコンピュータフレームは、投影モジュール２０５によってスクリーン上に投影される。
【００１２】
[0017]いくつかの信号受信装置の例は、ＲＧＢ信号受信装置２０７ａ、ＤＶＩ信号受信装置２０７ｂ、ＡＶ信号受信装置２０７ｃ及びＳビデオ信号受信装置２０７ｄを含む。ＲＧＢ信号受信装置２０７ａは主としてアナログ映像信号の送信又は受信に使用され、ＤＶＩ信号受信装置２０７ｂは主としてデジタル映像信号の送信又は受信に使用される。ＡＶ信号受信装置２０７ｃ又はＳビデオ信号受信装置２０７ｄは、ＡＶ信号の受信に使用される。異なる信号受信装置によって、プロジェクタ２００はコンピュータ、ＴＶ又はＤＶＤなどの様々なソースに由来する映像を投影することができる。
【００１３】
[0018]無線モジュール２０１とマイクロプロセッサ２０２とを接続するように設置された追加の伝送線２０９によって、マイクロプロセッサ２０２は無線モジュール２０１から信号を受信することだけではなく、無線モジュール２０１へ照会信号を送信することもできるので、送信と受信の双方向の機能が達成される。伝送線の例はＩ２Ｃ、ＧＰＩＯ又はＲＳ−２３２プロトコルに従う通信インタフェースを含む。伝送線２０９は、好ましくは大量の伝送を行うためのＲＳ−２３２インタフェースの伝送線２０９である。以下の開示は、伝送線２０９によってマイクロプロセッサ２０２に信号受信装置の走査の順序を効率的に制御させる方法を例示する。
【００１４】
[0019]図３を参照すると、プロジェクタのマイクロプロセッサの信号走査を表す流れ図が示されている。最初に本方法はステップ３０１で始まり、マイクロプロセッサが信号受信装置のソースの情報を収集する。次にステップ３０３へ進み、信号受信装置のうちの１つが走査される。続いてステップ３０５へ進み、信号受信装置のうちの１つが無線モジュールであるかどうかが判定される。無線モジュールである場合、ステップ３０７ａに進み、マイクロプロセッサ２０２は無線モジュール２０１に信号を送信し、続いてステップ３０９ａを実行して何らかの外部信号又はユーザが無線モジュール２０１に接続されているかどうかを判定する。いかなる外部信号又はユーザも無線モジュール２０１に接続されていない場合、ステップ３０３に戻り、他の信号受信装置の走査を続ける。外部信号又はユーザが無線モジュール２０１に接続されている場合、直接ステップ３１１を実行し、無線モジュール２０１をプロジェクタ２００の信号ソースとして設定する。
【００１５】
[0020]ステップ３０５で、信号受信装置のソースが無線モジュール２０１ではないと判定された場合、ステップ３０７ｂに進んで信号受信装置の状態を調べ、次いでステップ３０９ｂに進み、信号受信装置が信号を有するかどうかを判定する。信号が無い場合、ステップ３０３に戻り、信号受信装置のうちの別の１つの走査を続ける。信号がある場合、最後のステップであるステップ３１１を実行し、信号受信装置はプロジェクタ２００の信号ソースとして設定される。
【００１６】
[0021]マイクロプロセッサの走査手順に応じて、無線モジュール２０１は次のステップを実行する。図３と図４の双方を参照する。図４はプロジェクタのマイクロプロセッサへの無線モジュールのフィードバックを示す流れ図である。図３のステップ３０７ａで、マイクロプロセッサ２０２は、ユーザ又は何らかの外部信号が無線モジュール２０１に接続されているかどうかを伝送線２０９を通じて無線モジュール２０１に照会する。ステップ４０１で、無線モジュール２０１はマイクロプロセッサ２０２によって送信される照会信号を待つ。照会信号が生成された後、続いてステップ４０３へ進み、無線モジュール２０１は何らかの外部信号又はユーザが無線モジュール２０１に接続されているかどうかを判定する。何らかの外部信号又はユーザが接続されている場合、ステップ４０５ａに進んで外部信号又はユーザが無線モジュール２０１に接続されていることをプロジェクタ２００のマイクロプロセッサ２０２にフィードバックし、次の照会信号を待つステップ４０１に戻る。いかなる外部信号又はユーザも無線モジュールに接続されない場合、ステップ４０５ｂに進み、無線モジュール２０１に接続されている外部信号及びユーザは無いということをマイクロプロセッサ２０２にフィードバックし、次いで次の照会信号を待つステップ４０１に戻る。
【００１７】
[0022]さらに、伝送線を設置することによって、無線モジュール２０１はプロジェクタのマイクロプロセッサに、より多くの情報を伝えることができる。したがって、投影モジュール２０５は無線モジュール２０１の情報をスクリーン５３０上に投影することができる。図５を参照すると、スクリーン上の投影図が示されている。投影スクリーンは情報表示領域５４０及び走査進行度領域５４２を有する。サービスセット識別子（ＳＳＩＤ）（ｓｅｒｖｉｃｅ  ｓｅｔ  ｉｄｅｎｔｉｆｉｅｒ）、チャンネル及びインターネットプロトコルアドレス（ＩＰ）などの、無線モジュール２０１の情報項目は情報表示領域５４０に明示され、スクリーン上に据え置かれる。マイクロプロセッサが信号受信装置を走査し、ユーザのフレームを表示するまで、これらの情報項目はスクリーン上に表示され続けるためである。したがって、ユーザはコンピュータのネットワーク接続の設定を処理するために無線モジュール２０１の基本情報を得ることが可能であり、無線モジュール２０１の基本情報が少しの間だけ表示される場合に、無線モジュール２０１の基本情報を記録して無線伝送を使用することができなくなることを回避する。
【００１８】
第２の実施形態
[0023]再度図２を参照する。第１の実施形態で、無線モジュールとマイクロプロセッサとは伝送線を通じて双方向通信を有することができる。第２の実施形態で、何らかの外部信号又はユーザが無線モジュール２０１に接続されているかどうかについての情報は、映像信号線２１０を通じてマイクロプロセッサ２０２に送信される。本方法はマイクロプロセッサ２０２と無線モジュール２０１とを接続する接続箇所のピンの電圧レベルによって、何らかの外部信号又はユーザが無線モジュール２０１に接続されているかどうかを判定する。例えば、いずれかが無線モジュール２０１に接続されている場合、無線モジュール２０１の特定のピンの電圧レベルは変化し、映像信号線２１０を通じてマイクロプロセッサ２０２に送信される。マイクロプロセッサ２０２は電圧レベルの変化を検出し、現在の信号受信装置が無線モジュール２０１であることを判定することができる。反対に、接続されているものが無い場合、マイクロプロセッサ２０２は他の信号受信装置の走査を続けることができる。
【００１９】
[0024]先に開示した２つの実施形態とは別に、無線モジュールとプロジェクタとがどのように互いに通信しても、ユーザが無線ネットワーク伝送のために無線モジュールを使用するかどうか、又は何らかの外部信号が無線モジュールに接続されているかどうかをプロジェクタが検出できる限り、それによって信号受信装置の走査を続けるかどうかを判定することは本発明の範囲に含まれる。
【００２０】
[0025]本発明の上記の実施形態で開示した無線プロジェクタにより、外部信号と無線モジュールとの間の接続を示す信号が生成されるか否かはマイクロプロセッサによって判定されるので、無線モジュールが起動されているが、いかなるユーザにも接続されない場合、マイクロプロセッサが無線モジュールを信号受信装置とみなすことはない。したがって、ユーザは所望の信号受信装置に切り替えるために、所望の信号受信装置の該当のプレスキーを押すことに時間を費やす必要はなく、このことは使用法の点でより便利である。さらに伝送線の設置を通じて、無線モジュールはより多くの無線モジュールの接続設定の情報を投影モジュールに送信し、これらの情報の項目をスクリーン上に投影することができるので、ユーザにとって無線ネットワークの設定が容易になる。
【００２１】
[0026]本発明を例示として、好ましい実施形態に関して説明してきたが、本発明がこれらに限定されないことを理解されたい。それとは反対に、様々な変更形態、並びに同様の構成及び手順を包含することが意図されており、ゆえに添付の特許請求の範囲はそうした変更形態、並びに同様の構成及び手順のすべてを含むように、最も広範な解釈が許されるべきである。
【図面の簡単な説明】
【００２２】
【図１Ａ】従来の無線モジュール及び従来の投影モジュールの構成図である。（従来の技術）
【図１Ｂ】従来の無線プロジェクタによって走査される信号受信装置の配列を示す構成図である。（従来の技術）
【図２】無線プロジェクタの構成図である。
【図３】プロジェクタのマイクロプロセッサの信号走査を示す流れ図である。
【図４】プロジェクタのマイクロプロセッサに応答する無線モジュールを示す流れ図である。
【図５】スクリーン上の投影図である。
【符号の説明】
【００２３】
１００  無線プロジェクタ
１０１  無線モジュール
１０２  マイクロプロセッサ
１０５  投影モジュール
１０７  信号受信装置
１０７ａ  ＲＧＢ信号受信装置
１０７ｂ  ＤＶＩ信号受信装置
１０７ｃ  ＡＶ信号受信装置
１０７ｄ  Ｓビデオ信号受信装置
２００  無線プロジェクタ
２０２  マイクロプロセッサ
２０１  無線モジュール
２０５  投影モジュール
２０７ａ  ＲＧＢ信号受信装置
２０７ｂ  ＤＶＩ信号受信装置
２０７ｃ  ＡＶ信号受信装置
２０７ｄ  Ｓビデオ信号受信装置
２０９  伝送線
２１０  映像信号線
５３０  スクリーン
５４０  情報表示領域
５４２  走査進行度領域
【図１Ａ】
2007104661.tif 000003
【図１Ｂ】
2007104661.tif 000004
【図２】
2007104661.tif 000005
【図３】
2007104661.tif 000006
【図４】
2007104661.tif 000007
【図５】
2007104661.tif 000008